(57)【要約】【課題】出力する映像信号の方式を記憶し、その方式に基づいてＯＳＤ信号を出力することにより、セットアップ画面等のＯＳＤ画面を適正に表示した光ディスク装置を提供する。【解決手段】制御部６は、記憶部１１に記憶されている方式に基づいてＯＳＤ信号を自装置外部に出力する。即ち、光ディスク１００の方式がＰＡＬ方式であれば、制御部６は、信号の出力設定をＰＡＬ方式に設定する。そして、制御部６は、ＯＳＤ画面をテレビジョン１０１に表示する。これにより、図６Ａに示すようなオープニング画面６０や、図６Ｂに示すセットアップ画面６１がテレビジョン１０１に表示される。この際、光ディスク１００の方式と、光ディスク装置１の方式と、テレビジョン１０１の方式と、が全てＰＡＬ方式であるため、オープニング画面６０及びセットアップ画面６１はテレビジョン１０１に適正に表示される。【選択図】  図６
2008160393.tif 000002
【特許請求の範囲】
【請求項１】
ＰＡＬ方式又はＮＴＳＣ方式のいずれか一方の方式に基づいて映像信号が記録された光ディスクから該映像信号を読取る読取手段と、
ＯＳＤ信号を生成するＯＳＤ生成手段と、
再生中、前記読取手段によって読取られた前記映像信号を、前記光ディスクに記録されている前記映像信号と同じ方式に基づいて自装置外部に出力する出力手段であって、前記ＯＳＤ生成手段によって生成された前記ＯＳＤ信号を自装置外部に出力する出力手段と、を備え、
前記自装置から出力された信号を処理して画像を画面上に表示する表示器に接続される光ディスク装置において、
前記再生中に、前記出力手段が出力する前記映像信号の方式が前記ＰＡＬ方式又は前記ＮＴＳＣ方式のいずれであるかを記憶する不揮発性の第１の記憶手段を備え、
前記ＰＡＬ方式のＯＳＤデータと、前記ＮＴＳＣ方式のＯＳＤデータと、を記憶する不揮発性の第２の記憶手段を備え、
前記ＯＳＤ生成手段は、前記再生中に再生の停止が指示されると、又は前記自装置の電源がオンされると、前記第１の記憶手段に記憶されている方式のＯＳＤデータを前記第２の記憶手段から読取って、前記ＯＳＤ信号を生成し、
前記出力手段は、前記第１の記憶手段に記憶されている方式に基づいて前記ＯＳＤ信号を前記自装置外部に出力する光ディスク装置。
【請求項２】
ＰＡＬ方式又はＮＴＳＣ方式のいずれか一方の方式に基づいて映像信号が記録された光ディスクから該映像信号を読取る読取手段と、
ＯＳＤ信号を生成するＯＳＤ生成手段と、
再生中、前記読取手段によって読取られた前記映像信号を、前記光ディスクに記録されている前記映像信号と同じ方式に基づいて自装置外部に出力する出力手段であって、前記ＯＳＤ生成手段によって生成された前記ＯＳＤ信号を自装置外部に出力する出力手段と、を備え、
前記自装置から出力された信号を処理して画像を画面上に表示する表示器に接続される光ディスク装置において、
前記出力手段が出力する前記映像信号の方式が前記ＰＡＬ方式又は前記ＮＴＳＣ方式のいずれであるかを記憶する不揮発性の第１の記憶手段を備え、
前記出力手段は、前記再生中に再生の停止が指示されると、又は前記自装置の電源がオンされると、前記第１の記憶手段に記憶されている方式に基づいて前記ＯＳＤ信号を前記自装置外部に出力する光ディスク装置。
【請求項３】
前記ＰＡＬ方式のＯＳＤデータと、前記ＮＴＳＣ方式のＯＳＤデータと、を記憶する不揮発性の第２の記憶手段を備え、
前記ＯＳＤ生成手段は、前記再生中に再生の停止が指示されると、又は前記自装置の電源がオンされると、前記第１の記憶手段に記憶されている方式のＯＳＤデータを前記第２の記憶手段から読取って、前記ＯＳＤ信号を生成する請求項２に記載の光ディスク装置。
【請求項４】
前記出力手段は、前記出力手段が出力する前記映像信号の方式が前記ＰＡＬ方式又は前記ＮＴＳＣ方式のいずれであるかを、前記再生中に前記第１の記憶手段に記録する請求項２又は３に記載の光ディスク装置。
【発明の詳細な説明】
【技術分野】
【０００１】
本発明は、ＮＴＳＣ方式の光ディスクと、ＰＡＬ方式の光ディスクと、の両方の光ディスクを再生可能な光ディスク装置に関するものである。
【背景技術】
【０００２】
近年急速に普及したＤＶＤ−Ｖｉｄｅｏにおいても、２つのＴＶ方式（ＮＴＳＣあるいはＰＡＬ）の何れかの映像信号を記録することができる。このようなＤＶＤ（Digital Versatile Disc)を再生する場合、ＴＶ方式が異なるＴＶでは再生することができない。そのため、それぞれの地域や国で放送されるＴＶ方式に応じた光ディスク装置及びＤＶＤが販売され普及している。
【０００３】
ただし、ＰＡＬ地域においては、ＮＴＳＣ及びＰＡＬの両方の方式に対応した光ディスク装置が普及している。これは、例えばヨーロッパではＰＡＬ５０（純ＰＡＬ）のみならず、ＰＡＬ６０（ＮＴＳＣ信号の方式のみをＰＡＬ方式に変換した疑似ＰＡＬ信号）を映し出すこともできるマルチタイプのＴＶが普及していることによる。
【０００４】
ＮＴＳＣ及びＰＡＬの両方の方式に対応した光ディスク装置では、ＤＶＤが装置本体にセットされると、ＤＶＤがいずれの方式に対応しているか調査する。そして、光ディスク装置は、調査した方式がＰＡＬであれば、装置本体の方式をＰＡＬに設定する。そして、設定後、光ディスク装置はＰＡＬ方式のＤＶＤの再生を開始する。
【０００５】
これにより、ユーザは、ＰＡＬ方式のＴＶにおいて、光ディスク装置から出力されたＤＶＤの映像や音声を視聴する。
一方、特許文献１では、再生装置が提案されている。
【特許文献１】特開２００６−５９６０公報
【発明の開示】
【発明が解決しようとする課題】
【０００６】
しかしながら、上記従来の光ディスク装置では、光ディスク装置の電源がオフされてオンされると、若しくは再生中に停止操作がされると、装置本体の方式がＰＡＬ方式からＮＴＳＣ方式に戻っていた。この際に、ユーザが、光ディスク装置のセットアップ画面（設定画面）等の表示を指示すると、ＰＡＬ方式のＴＶでは、その方式の違いから、そのセットアップ画面が適正に表示されなかった。このため、光ディスク装置が故障したのではないかとユーザに誤解されるおそれがあった。
【０００７】
本発明はこのような従来の課題を解決しようとするものであり、出力する映像信号の方式を記憶し、その方式に基づいてＯＳＤ信号を出力することにより、セットアップ画面等のＯＳＤ画面を適正に表示した光ディスク装置を提供することを目的とする。
【課題を解決するための手段】
【０００８】
本発明の光ディスク装置は、前記課題を解決するために以下の構成を備えている。
【０００９】
（１）ＰＡＬ方式又はＮＴＳＣ方式のいずれか一方の方式に基づいて映像信号が記録された光ディスクから該映像信号を読取る読取手段と、
ＯＳＤ信号を生成するＯＳＤ生成手段と、
再生中、前記読取手段によって読取られた前記映像信号を、前記光ディスクに記録されている前記映像信号と同じ方式に基づいて自装置外部に出力する出力手段であって、前記ＯＳＤ生成手段によって生成された前記ＯＳＤ信号を自装置外部に出力する出力手段と、を備え、
前記自装置から出力された信号を処理して画像を画面上に表示する表示器に接続される光ディスク装置において、
前記出力手段が出力する前記映像信号の方式が前記ＰＡＬ方式又は前記ＮＴＳＣ方式のいずれであるかを記憶する不揮発性の第１の記憶手段を備え、
前記出力手段は、前記再生中に再生の停止が指示されると、又は前記自装置の電源がオンされると、前記第１の記憶手段に記憶されている方式に基づいて前記ＯＳＤ信号を前記自装置外部に出力する。
【００１０】
この構成において、表示器は、テレビジョン、又はモニタである。光ディスク装置は、ＮＴＳＣ及びＰＡＬの両方の方式に対応している装置である。
両方の方式に対応した光ディスク装置では、光ディスクが装置本体にセットされると、光ディスクがいずれの方式に対応しているか調査する。そして、光ディスク装置は、調査した方式がＰＡＬであれば、装置本体の方式をＰＡＬに設定する。そして、設定後、光ディスク装置はＰＡＬ方式の光ディスクの再生を開始する。逆に、光ディスク装置は、調査した方式がＮＴＳＣであれば、装置本体の方式をＮＴＳＣに設定する。そして、設定後、光ディスク装置はＮＴＳＣ方式の光ディスクの再生を開始する。
上記第１の記憶手段は、この際に設定された方式を記憶する。ここで、第１の記憶手段は不揮発性であるため、電源がオフされてオンされても、記憶内容は保持される。
この後、再生中に再生の停止が指示されると、又は装置本体の電源がオンされると、出力手段は、第１の記憶手段に記憶されている方式を調べる。
そして、光ディスクの方式がＮＴＳＣ方式であれば、出力手段は、信号の出力設定をＮＴＳＣ方式に設定する。ここで、光ディスク装置にセットされた光ディスクの方式がＮＴＳＣ方式であるということは、表示器の方式もＮＴＳＣ方式であると推定できる。
そして、出力手段は、ＯＳＤ信号を表示器に出力して、ＯＳＤ画面を表示器に表示する。例えばユーザがセットアップ画面（設定画面）等の表示を指示すると、ＯＳＤのセットアップ画面が表示器に表示される。
この際、光ディスクの方式と、光ディスク装置の方式と、表示器の方式と、が全てＮＴＳＣ方式であるため、ＯＳＤ画面は表示器に適正に表示される。
このため、光ディスク装置が故障したのではないかとユーザに誤解されるのを防止できる。
【００１１】
一方、光ディスクの方式がＰＡＬ方式であれば、出力手段は、信号の出力設定をＰＡＬ方式に設定する。ここで、光ディスク装置にセットされた光ディスクの方式がＰＡＬ方式であるということは、表示器の方式もＰＡＬ方式であると推定できる。
そして、出力手段は、ＯＳＤ信号を表示器に出力して、ＯＳＤ画面を表示器に表示する。この際、光ディスクの方式と、光ディスク装置の方式と、表示器の方式と、が全てＰＡＬ方式であるため、ＯＳＤ画面は表示器に適正に表示される。
このため、光ディスク装置が故障したのではないかとユーザに誤解されるのを防止できる。
【００１２】
（２）前記ＰＡＬ方式のＯＳＤデータと、前記ＮＴＳＣ方式のＯＳＤデータと、を記憶する不揮発性の第２の記憶手段を備え、
前記ＯＳＤ生成手段は、前記再生中に再生の停止が指示されると、又は前記自装置の電源がオンされると、前記第１の記憶手段に記憶されている方式のＯＳＤデータを前記第２の記憶手段から読取って、前記ＯＳＤ信号を生成する。
【００１３】
上記（１）では、光ディスクの方式がＰＡＬ方式であれば、出力手段は、信号の出力設定をＰＡＬ方式に設定する。この場合、光ディスクの方式と、光ディスク装置の方式と、表示器の方式と、が全てＰＡＬ方式である。
しかし、ＯＳＤデータは、ＮＴＳＣ方式である。そのため、表示器に表示されるＰＡＬ方式のＯＳＤ画面は、ＮＴＳＣ方式のＯＳＤ画面と比べ、画質等が悪い。
そこで、この構成においては、第２の記憶手段に、ＰＡＬ方式のＯＳＤデータとＮＴＳＣ方式のＯＳＤデータとを記憶させる。ここで、第２の記憶手段は不揮発性であるため、電源がオフされてオンされても、記憶内容は保持される。
そして、ＯＳＤ生成手段は、光ディスクの方式がＰＡＬ方式であれば、第２の記憶手段の２種類の方式の内、ＰＡＬ方式のＯＳＤデータを第２の記憶手段から読取って、ＯＳＤ信号を生成する。
そして、出力手段は、ＯＳＤ信号を表示器に出力して、ＯＳＤ画面を表示器に表示する。例えばユーザがセットアップ画面等の表示を指示すると、ＯＳＤのセットアップ画面が表示器に表示される。
この際、ＯＳＤデータの方式と、光ディスクの方式と、光ディスク装置の方式と、表示器の方式と、が全てＰＡＬ方式であるため、ＯＳＤ画面は表示器に一層適正に表示される。
このため、光ディスク装置が故障したのではないかとユーザに誤解されるのを一層防止できる。
【００１４】
（３）前記出力手段は、前記出力手段が出力する前記映像信号の方式が前記ＰＡＬ方式又は前記ＮＴＳＣ方式のいずれであるかを、前記再生中に前記第１の記憶手段に記録する。
【発明の効果】
【００１５】
この発明によれば、ＯＳＤ画面が表示器に適正に表示される。このため、光ディスク装置が故障したのではないかとユーザに誤解されるのを防止できる。
【発明を実施するための最良の形態】
【００１６】
以下、本発明の実施形態である光ディスク装置について説明する。
【００１７】
図１は、本発明の実施形態である光ディスク装置の主要な構成を示すブロック図である。光ディスク装置１は、所謂ＤＶＤプレーヤであり、装置本体１の各部の動作を制御する制御部６と、光ディスク１００に対しデータの読取を行うピックアップヘッド２（以下、PUヘッド２と称する。）と、RFアンプなどの再生回路３と、ユーザの操作を受け付ける操作部１０と、装置本体１を遠隔操作するリモコン１２と、を備えている。さらに、光ディスク装置１は、情報を表示する表示部９と、データを記憶する記憶部１１と、音声データをアナログの再生音声信号に変換する音声出力部５と、画像データをアナログの再生画像信号に変換する画像出力部１３と、ＯＳＤ画像を生成するＯＳＤ生成部８と、を備えている。
【００１８】
光ディスク１００は、例えばＣＤ、又はＤＶＤである。
【００１９】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射時間を調節する。また、アクチュエータは、対物レンズを光ディスク１００に接離する方向、及び光ディスク１００の半径方向に移動させる。
【００２０】
再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２１】
再生回路３は、ＰＵヘッド２における複数の受光素子の出力に基づいてＲＦ信号を生成し、該ＲＦ信号を増幅する。そして、再生回路３は、該ＲＦ信号を処理して画像と音声のデータを取り出す。ここで、取り出される画像と音声のデータは、例えばMPEGでエンコードされている。そして、再生回路３は、これらのデータをデコードする。そして、再生回路３は、音声データを音声出力部５に、画像データを画像出力部１３に、これらのデータの同期を取りながら、それぞれ出力する。
【００２２】
音声出力部５は、音声データをアナログの再生音声信号に変換し、その再生音声信号を外部のテレビジョン１０１に出力する。
なお、テレビジョン１０１がディジタル対応（例えばＨＤＭＩ規格対応）であれば、ディジタルで出力しても構わない。
【００２３】
ＯＳＤ生成部８は、不揮発性のＯＳＤ画像メモリ８Ａを内蔵する。ＯＳＤ画像メモリ８Ａは、例えばフラッシュメモリで構成される。ＯＳＤ画像メモリ８Ａは、ＯＳＤデータを記憶する。ここで記憶されているＯＳＤデータは、ＮＴＳＣ方式のデータである。ここで、ＯＳＤ画像メモリ８Ａは不揮発性であるため、電源がオフされてオンされても、記憶内容は保持される。
ＯＳＤ生成部８は、制御部６から伝送される制御信号に基づいて、ＯＳＤ画像メモリ８ＡのＯＳＤデータに基づいて文字又は図形のＯＳＤ画像を示すＯＳＤ信号を生成する。そして、ＯＳＤ生成部８は、そのＯＳＤ信号を画像出力部１３へ出力する。
【００２４】
画像出力部１３は、制御部６から伝送される制御信号に基づいて、再生回路３から出力された画像データに基づく画像に、ＯＳＤ生成部８から出力されたＯＳＤ信号に基づくＯＳＤ画像を合成した合成画像を生成する。そして、画像出力部１３は、この合成画像の信号をアナログの再生画像信号に変換し、外部のテレビジョン１０１に出力する。又は、画像出力部１３は、再生回路３から出力された画像データをアナログの再生画像信号に変換し、外部のテレビジョン１０１に出力する。又は、画像出力部１３は、ＯＳＤ生成部８から出力されたＯＳＤ画像のＯＳＤ信号をアナログの再生画像信号に変換し、外部のテレビジョン１０１に出力する。
なお、テレビジョン１０１がディジタル対応（例えばＨＤＭＩ規格対応）であれば、ディジタルで出力しても構わない。
【００２５】
音声出力部５及び画像出力部１３には、テレビジョン１０１が接続される。テレビジョン１０１は、光ディスク装置1から出力された信号を処理して、画像を画面上に表示したり音声を放音したりする。
ユーザは、このテレビジョン１０１において、音声出力部５及び画像出力部１３から出力された再生画像信号に基づく画像、及び再生音声信号に基づく音声を視聴することができる。
【００２６】
操作部１０は、ユーザが光ディスク装置１に対して各種の命令（コマンド）を入力するためのものである。操作部１０には、ユーザの操作を受け付ける複数のキーが設けられている。光ディスク装置１に対してユーザが入力したコマンドは制御部６に伝送される。
複数のキーの中には、光ディスク１００の再生を指示するための再生キー、光ディスク１００の再生等の停止を指示するための停止キー、装置本体１の電源のオンとオフを切り替える電源キー、光ディスク装置１のセットアップ画面を表示するためのセットアップキー、が含まれる（いずれも不図示）。
【００２７】
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。リモコン１２には、操作部１０と同様のキーが設けられている。
【００２８】
表示部９は、時刻、光ディスク装置１の設定状態などを表示する。
【００２９】
記憶部１１は、例えばハードディスクやＥＥＰＲＯＭで構成されており、装置本体１の主制御プログラムを記憶する。
【００３０】
制御部６は、例えばマイクロコンピュータで構成される。また、制御部６は、上記の主制御プログラムなどを展開するワークフィールドとしてのＲＡＭ（不図示）を内蔵する。制御部６は、光ディスク装置１にユーザから入力された命令に応じて光ディスク装置１の各部を制御する。
【００３１】
なお、実際の光ディスク装置では、読取時に、レーザ光の照射時間を光ディスクのトラックの中心に合わせるトラッキングサーボ制御と、レーザ光の合焦時間を光ディスクの記録面に合わせるフォーカスサーボ制御と、を行っているが、本発明の実施形態では図示を省略している。
【００３２】
ここで、ＰＵヘッド２、再生回路３が、本発明の「読取手段」に相当する。制御部６、画像出力部１３が、本発明の「出力手段」に相当する。ＯＳＤ生成部８が、本発明の「ＯＳＤ生成手段」に相当する。操作部１０及びリモコン１２が、本発明の「操作手段」に相当する。
また、この実施形態では、表示器としてテレビジョン１０１を用いているが、実施の際は、モニタでも構わない。
【００３３】
図２は、ＤＶＤ−Ｖideoフォーマットで記録された光ディスク上のデータのデータ構造を示す図である。ＤＶＤ−Ｖideoフォーマットで記録された光ディスク１００上には、図２Ａに示すように、その内周から外周にかけてVMGI９５、VMGM_VOBS９６、VMGIbup９７、タイトルＴ１〜Ｔ３が記録されている。
【００３４】
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。また、この制御情報には、VMGM_VOBS９６に含まれるコンテンツのＴＶ方式（ＮＴＳＣ或いはＰＡＬ）も記述されている。
VMGM_VOBS(Video  Object  Set  for  VMG  Menu)９６には、ＶＯＢＳ１００３に記述されているコンテンツの再生に先立って再生されるコンテンツが記述されている。このコンテンツには、タイトル選択画面が含まれる。タイトル選択画面とは、光ディスク１００に記録されているタイトルの内から再生タイトルの選択を、そのコンテンツの再生が指示された時に要求する画面である。
VMGIbup９７は、VMGI９５のバックアップファイルである。
【００３５】
また、タイトルＴ１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図２Ａ参照）。タイトルＴ２、Ｔ３も、タイトルＴ１と同様のデータ構造となっている。ＤＶＤ−Ｖideoフォーマットでは、最大９９タイトルまで収録が可能である。図２Ａでは、３タイトル収録されている。
【００３６】
ＶＴＳＩ１００２には、そのＶＴＳに対する制御情報が記述されている。この制御情報には、ＶＯＢＳ１００３に含まれるコンテンツのＴＶ方式（ＮＴＳＣ或いはＰＡＬ）も記述されている。
ＶＯＢＳ１００３には、タイトル再生のためのコンテンツ（ＴＶ番組など）が記述されている。該ＶＯＢＳ１００３には、図２Ｂに示すように、複数のセル１０１０〜１０１９から構成されている。
なお、ＶＴＳＩ１００２とＶＯＢＳ１００３との間に、ＶＯＢＳ１００３に記述されているコンテンツの再生に先立って再生されるコンテンツが記述されたＶＴＳＭ＿ＶＯＢＳが設けられる場合もある。ＶＴＳＭ＿ＶＯＢＳには、VMGM_VOBS９６と同様のコンテンツが記録されている。このコンテンツには、ＶＯＢＳ１００３に設定されているチャプタを選択するチャプタ選択画面が含まれる。ここで、ＶＴＳＩ１００２とＶＯＢＳ１００３との間にＶＴＳＭ＿ＶＯＢＳが設けられる場合、ＶＴＳＩ１００２の制御情報には、ＶＴＳＭ＿ＶＯＢＳに含まれるコンテンツのＴＶ方式（ＮＴＳＣ或いはＰＡＬ）も記述される。
【００３７】
ＶＴＳＩbup１００４には、ＶＴＳＩ１００２のバックアップファイルが記述されている。
ＤＶＤ−Ｖideoフォーマットにおいて、データは、予め決められたセル単位で記録される。
セル１０１０は、複数のＶＯＢＵ（Ｖideo  Ｏbject  Ｕnit）１０２０〜１０２９で構成される（図２Ｃ参照）。１タイトルのセルの最大数は２５５セルである。そのため、光ディスクに１０時間分のデータを記録する場合、１セルは、例えば２分３０秒である。
ＶＯＢＵ１０２０には、先頭にＮＶ＿ＰＣＫ（Ｎavigatyion  Ｐack）１０３０が置かれ、続いてビデオデータ（映像信号）やオーディオデータ（ＡＶデータ）などがパック化されて挿入される（図２D参照）。
【００３８】
図３は、本発明の実施形態である光ディスク装置の制御部６が再生時に行う動作を示すフローチャートである。この動作は、ユーザが再生キーを押下した時の動作である。
【００３９】
再生キーが押下されると、制御部６は、光ディスク１００のリードイン領域に記録されているＴＯＣデータをＰＵヘッド２に読取らせる（Ｓ１）。
【００４０】
次に、制御部６は、光ディスク１００のＶＭＧＩ９５をＰＵヘッド２に読取らせる（Ｓ２）。これにより、制御部６は、ＶＭＧＩ９５の制御情報を再生回路３を介して取得する。そして、この制御情報から、制御部６は、光ディスク１００に記録されている映像信号の方式を確認する。
【００４１】
制御部６は、Ｓ２で取得した制御情報に基づいて、光ディスク１００の方式がＰＡＬ方式であるかＮＴＳＣ方式であるか判定する（Ｓ３）。
【００４２】
光ディスク１００の方式がＮＴＳＣ方式であれば、制御部６は、信号の出力設定をＮＴＳＣ方式に設定する（Ｓ４）。具体的には、制御部６は、信号の出力設定をＮＴＳＣ方式に設定するよう音声出力部５及び画像出力部１３に指示する。
【００４３】
方式設定後、制御部６は、再生を開始するための再生制御を行う（Ｓ５）。これにより、ＶＭＧＭ＿ＶＯＢＳ９６の再生が開始する。
【００４４】
そして、再生中、制御部６は、現在の方式（ＮＴＳＣ）を記憶部１１に記録し（Ｓ６）、本処理を終了する。
なお、この実施形態では、上記Ｓ６において、再生中に現在の方式（ＮＴＳＣ）を記憶部１１に記録しているが、実施の際は、これ以外のタイミングで記録しても構わない。これ以外のタイミングは、例えば、Ｓ４の直後、又はＳ７直後である。
【００４５】
一方、光ディスク１００の方式がＰＡＬ方式であれば、制御部６は、信号の出力設定をＰＡＬ方式に設定する（Ｓ７）。具体的には、制御部６は、信号の出力設定をＰＡＬ方式に設定するよう音声出力部５及び画像出力部１３に指示する。
【００４６】
方式設定後、制御部６は、再生を開始するための再生制御を行う（Ｓ５）。これにより、ＶＭＧＭ＿ＶＯＢＳ９６の再生が開始する。
【００４７】
そして、再生中、制御部６は、現在の方式（ＰＡＬ）を記憶部１１に記録し（Ｓ６）、本処理を終了する。
【００４８】
なお、ＶＭＧＭ＿ＶＯＢＳ９６の再生後、上記タイトル選択画面でタイトルＴ１が選択されてＶＯＢＳ１００３の再生が指示された場合も、Ｓ２と同様に、制御部６は、光ディスク１００のＶＴＳＩ１００２をＰＵヘッド２に読取らせる。そして、制御部６は、ＶＴＳＩ１００２の制御情報を再生回路３を介して取得し、上記映像信号の方式を確認する。その後、制御部６は、上記Ｓ３〜Ｓ７と同様の動作を行う。
【００４９】
図４は、本発明の実施形態である光ディスク装置の制御部６が行う動作を示すフローチャートである。この動作は、ユーザが再生中に停止キーを押下した時、又はユーザが装置本体１の電源を電源キーでオンした時の動作である。
【００５０】
再生中に再生の停止が指示されると、又は装置本体１の電源がオンされると、制御部６は、記憶部１１から方式を読取る（Ｓ１０１）。ここで読取る方式は、上記Ｓ６において記憶部１１に記録された方式である。
【００５１】
次に、制御部６は、Ｓ１０１で読取った方式に基づいて、光ディスク１００の方式がＰＡＬ方式であるかＮＴＳＣ方式であるか判定する（Ｓ１０２）。
【００５２】
光ディスク１００の方式がＮＴＳＣ方式であれば、制御部６は、信号の出力設定をＮＴＳＣ方式に設定する（Ｓ１０３）。この処理は、Ｓ４と同じである。ここで、光ディスク装置１にセットされた光ディスク１００の方式がＮＴＳＣ方式であるということは、テレビジョン１０１の方式もＮＴＳＣ方式であると推定できる。
【００５３】
制御部６は、ＯＳＤ画面をテレビジョン１０１に表示し（Ｓ１０４）、本処理を終了する。詳述すると、制御部６は、オープニング画面を示すＯＳＤ信号を生成するようＯＳＤ生成部８に指示する。これにより、図５Ａに示すようなオープニング画面５０がテレビジョン１０１に表示される。
【００５４】
図５は、ＮＴＳＣ方式のテレビジョンに表示されるＯＳＤ画面の表示例を示す図である。
なお、オープニング画面５０のメッセージは、再生中に停止キーが押下された場合、「停止中です」というメッセージでも構わない。
また、ユーザが上述のセットアップキーを押下すると、オープニング画面５０と同様に、図５Ｂに示すセットアップ画面５１がテレビジョン１０１に表示される。
【００５５】
Ｓ１０４の際、光ディスク１００の方式と、光ディスク装置１の方式と、テレビジョン１０１の方式と、が全てＮＴＳＣ方式であるため、オープニング画面５０及びセットアップ画面５１はテレビジョン１０１に適正に表示される。
このため、光ディスク装置１が故障したのではないかとユーザに誤解されるのを防止できる。
【００５６】
一方、光ディスク１００の方式がＰＡＬ方式であれば、制御部６は、信号の出力設定をＰＡＬ方式に設定する（Ｓ１０５）。この処理は、Ｓ７と同じである。ここで、光ディスク装置１にセットされた光ディスク１００の方式がＰＡＬ方式であるということは、テレビジョン１０１の方式もＰＡＬ方式であると推定できる。
【００５７】
制御部６は、図６に示すＯＳＤ画面をテレビジョン１０１に表示し（Ｓ１０４）、本処理を終了する。詳述すると、制御部６は、オープニング画面を示すＯＳＤ信号を生成するようＯＳＤ生成部８に指示する。これにより、図６Ａに示すようなオープニング画面６０がテレビジョン１０１に表示される。
【００５８】
図６は、ＰＡＬ方式のテレビジョンに表示されるＯＳＤ画面の表示例を示す図である。
【００５９】
なお、オープニング画面６０のメッセージは、再生中に停止キーが押下された場合、「停止中です」というメッセージでも構わない。
また、ユーザが上述のセットアップキーを押下すると、オープニング画面６０と同様に、図６Ｂに示すセットアップ画面６１がテレビジョン１０１に表示される。
【００６０】
この際、光ディスク１００の方式と、光ディスク装置１の方式と、テレビジョン１０１の方式と、が全てＰＡＬ方式であるため、オープニング画面６０及びセットアップ画面６１はテレビジョン１０１に適正に表示される。
このため、光ディスク装置１が故障したのではないかとユーザに誤解されるのを防止できる。
【００６１】
なお、上記２つのＳ１０４では、記憶部１１に記憶されている方式に基づいてＯＳＤ信号を自装置外部に出力している。
【００６２】
以下、本発明の他の実施形態である光ディスク装置について説明する。
【００６３】
図７は、本発明の他の実施形態である光ディスク装置の記憶部１１が記憶する記憶内容を示す図である。
上記実施形態では、光ディスク１００の方式と、光ディスク装置１の方式と、テレビジョン１０１の方式と、が全てＰＡＬ方式である。しかし、ＯＳＤ画像メモリ８Ａに記録されているＯＳＤデータの方式は、ＮＴＳＣ方式である。そのため、テレビジョン１０１に表示されるＰＡＬ方式のＯＳＤ画面（図６参照）は、ＮＴＳＣ方式のＯＳＤ画面（図５参照）と比べ、画質等が悪い。
そこで、この実施形態では、ＯＳＤ画像メモリ８Ａに、図７に示すように、ＰＡＬ方式のＯＳＤデータとＮＴＳＣ方式のＯＳＤデータとを記憶させる。
なお、図７では、説明を容易にするため、ＯＳＤ画像５０そのものをＯＳＤ画像メモリ８Ａに記憶させているが、実施の際は、ＯＳＤ画像５０の基となるＯＳＤデータをＯＳＤ画像メモリ８Ａに記憶させる。ＯＳＤ画像５１、６０、及び６１も同様である。
【００６４】
次に、制御部６の動作について説明する。
図８は、本発明の他の実施形態である光ディスク装置の制御部６が行う動作を示すフローチャートである。この動作は、図４のＳ１０３とＳ１０４の間にＳ２０１を追加し、Ｓ１０５とＳ１０４の間にＳ２０２を追加した動作であり、その他の処理（Ｓ１０１〜Ｓ１０５）ついては、同じである。
【００６５】
Ｓ１０３の後、制御部６は、図７に示すＯＳＤ画像メモリ８Ａの２種類の方式の内、ＮＴＳＣ方式のＯＳＤデータを使用するようＯＳＤ生成部８に指示する（Ｓ２０１）。
【００６６】
そして、制御部６は、ＯＳＤ画面をテレビジョン１０１に表示し（Ｓ１０４）、本処理を終了する。詳述すると、制御部６は、オープニング画面を示すＯＳＤ信号を生成するようＯＳＤ生成部８に指示する。この結果、ＯＳＤ生成部８は、ＮＴＳＣ方式のＯＳＤデータをＯＳＤ画像メモリ８Ａから読取って、オープニング画面を示すＯＳＤ信号を生成する。これにより、図５に示すようなオープニング画面５０がテレビジョン１０１に表示される。
【００６７】
一方、Ｓ１０５の後、制御部６は、図７に示すＯＳＤ画像メモリ８Ａの２種類の方式の内、ＰＡＬ方式のＯＳＤデータを使用するようＯＳＤ生成部８に指示する（Ｓ２０２）。
【００６８】
そして、制御部６は、ＯＳＤ画面をテレビジョン１０１に表示し（Ｓ１０４）、本処理を終了する。詳述すると、制御部６は、オープニング画面を示すＯＳＤ信号を生成するようＯＳＤ生成部８に指示する。この結果、ＯＳＤ生成部８は、ＰＡＬ方式のＯＳＤデータをＯＳＤ画像メモリ８Ａから読取って、オープニング画面を示すＯＳＤ信号を生成する。これにより、オープニング画面６０がテレビジョン１０１に表示される。また、ユーザが上述のセットアップキーを押下すると、オープニング画面６０と同様に、セットアップ画面６１がテレビジョン１０１に表示される。
【００６９】
この際、ＯＳＤ画像メモリ８Ａに記録されているＯＳＤデータの方式と、光ディスク１００の方式と、光ディスク装置１の方式と、テレビジョン１０１の方式と、が全てＰＡＬ方式であるため、オープニング画面６０及びセットアップ画面６１はテレビジョン１０１に一層適正に表示される。図６で示されるオープニング画面６０及びセットアップ画面６１の画質等は、図５で示されるオープニング画面５０及びセットアップ画面５１と同等になる。
このため、光ディスク装置１が故障したのではないかとユーザに誤解されるのを一層防止できる。
【図面の簡単な説明】
【００７０】
【図１】本発明の実施形態である光ディスク装置の主要な構成を示すブロック図
【図２】ＤＶＤ−Ｖideoフォーマットで記録された光ディスク上のデータのデータ構造を示す図
【図３】本発明の実施形態である光ディスク装置の制御部６が再生時に行う動作を示すフローチャート
【図４】本発明の実施形態である光ディスク装置の制御部６が行う動作を示すフローチャート
【図５】ＮＴＳＣ方式のテレビジョンに表示されるＯＳＤ画面の表示例を示す図
【図６】ＰＡＬ方式のテレビジョンに表示されるＯＳＤ画面の表示例を示す図
【図７】本発明の他の実施形態である光ディスク装置の記憶部１１が記憶する記憶内容を示す図
【図８】本発明の他の実施形態である光ディスク装置の制御部６が行う動作を示すフローチャート
【符号の説明】
【００７１】
１−光ディスク装置
２−ＰＵヘッド
３−再生回路
５−音声出力部
６−制御部
８Ａ−ＯＳＤ画像メモリ
８−ＯＳＤ生成部
９−表示部
１０−操作部
１１−記憶部
１２−リモコン
１３−画像出力部
５０−オープニング画面
５１−セットアップ画面
６０−オープニング画面
６１−セットアップ画面
１００−光ディスク
１０１−テレビジョン
【図１】
2008160393.tif 000003
【図２】
2008160393.tif 000004
【図３】
2008160393.tif 000005
【図４】
2008160393.tif 000006
【図５】
2008160393.tif 000007
【図６】
2008160393.tif 000008
【図７】
2008160393.tif 000009
【図８】
2008160393.tif 000010